Podtech/llm-jp-corpus-v4-ja_patent huggingface dataset:
(57)【要約】      （修正有）【課題】バリのついた木球のバリを削り取り真球に仕上げるための装置であり、大径から小径のまで、様々な種類の木球を、迅速かつ安価に、しかも大量生産ができる木球研磨装置を提供する。【解決手段】内側にサンドペーパー４を貼り付けた回転ドラム１と、同回転ドラムの回転軸に揺動可能に枢支された木球押え２とを設ける。該木球押えは、回転ドラムの内面と略等間隔を存するように配置された湾曲板２１と該湾曲板の端面に突設された仕切板２２とを備え、かつ、上記回転ドラムの回転軸５にその取付け高さが調整可能な手段を介して枢支する。【選択図】図２
0003172157.tif 000002
【実用新案登録請求の範囲】
【請求項１】
内側にサンドペーパーを貼り付けた回転ドラムと、同回転ドラムの回転軸に揺動可能に枢支された木球押えとを備えたことを特徴とする木球研磨装置。
【請求項２】
上記木球押えは、回転ドラムの内面と略等間隔を存するように配置された湾曲板と同湾曲板の端面に突設された仕切板とから成ることを特徴とする請求項１に記載の木球研磨装置。
【請求項３】
上記木球押えは、上記回転ドラムの回転軸にその取付け高さが調整可能な手段を介して枢支されていることを特徴とする請求項１に記載の木球研磨装置。
【考案の詳細な説明】
【技術分野】
【０００１】
この考案は、木球を製作する際に生じるバリなどを研磨する木球研磨装置に関する。
【背景技術】
【０００２】
従来木製の球を製作するためには、ロクロ機が用いられていた。しかしながら、ロクロ機を駆使しうる職人が必要であり、また、1個づつの生産を余儀なくされその生産性は低く精度において個人の技に頼るところが大きかったので、製品、品質において個人差が出ることが多い。さらに、木球はその使用方法や製造方法により芯穴が開いているものが多く、穴が開いていないものでも木球が製品となるまでには磨きなど多くの時間を要している。
【先行技術文献】
【特許文献】
【０００３】
従来、多数の木製の球をロクロ機に頼らずに製作するために、傾斜して設けたベルトサンダー上にサイコロ状の木片を収納する研磨室を形成し、ベルトサンダーを動かすことによって、木片の表面を削り取り木の玉を製造するものが知られている（特許文献１参照）。しかしながら、このような装置では、球が真球とならずにゆがんだり、同一径の球を得るのが困難であった。そこで、一旦木工機械のNCルーターで、球状に仕上げ、刃で仕上がらない部分、つまり赤道部分の薄いバリを取り除くようにしている。
【特許文献１】特開２００４−１３６６３３号公報
【考案の概要】
【考案が解決しようとする課題】
【０００４】
この考案は、バリのついた木球のバリを、自動的に取り除き真球に仕上げるための装置であり、大径から小径まで、様々な種類の木球を、迅速かつ安価に、しかも大量生産ができる装置を提供する。
【課題を解決するための手段】
【０００５】
内側にサンドペーパーを貼り付けた回転ドラムと、同回転ドラムの回転軸に揺動可能に枢支された木球押えとを備えた木球研磨装置であり、前記木球押えは、回転ドラムの内面と略等間隔を存するように配置された湾曲板と同湾曲板の端面に突設された仕切板とから成るとともに、前記木球押えは、回転ドラムの回転軸にその取り付け高さが調整可能な手段を介して枢支されていることを特徴としている。
【考案の効果】
【０００６】
短時間で効率よく真円の木球、つまり真球を製造できる。研磨できるワイドサンダー用のサンドペーパを応用することで、一度に大量の木球を扱うことができる。
【図面の簡単な説明】
【０００７】
【図１】本考案研磨装置の正面図である。
【図２】図１のA−A線断面図である。
【図３】図２のB−B線断面図である。
【図４】図２の要部拡大図である。
【図５】研磨加工前木球の一例を示す斜視図である。
【実施例】
【０００８】
図面を用いて、本考案の一実施例を説明する。１は回転ドラムで、架台６に軸５を介して回転自在に取り付けられている。なお、回転ドラム1は図示せざるモータ等の駆動源により回転する。２は前記回転ドラム１の内部に配設された木球押えであり、湾曲板２１と、この湾曲板の四囲に形成された仕切板２２と、湾曲板２１を前記回転軸５に枢支する第一の支板２３、第二の支板２４と、第一の支板２３と第二の支板２４とを連結する長孔２５と止めねじ２６とにより構成されている。なお、前記湾曲板２１と仕切板２２は、図３に示すように、一対の支板２３，２４によって保持されている。３は加工材である木球。研磨加工前の木球３には、図５に示すように木工機械のNCルーターで、仕上がらない部分、つまり赤道部分の薄いバリ３１が残っている。４は回転ドラム１の円筒内周面に貼り付けられたサンドペーパである。
【０００９】
このような装置において、バリ３１のついた加工材である木球３は、図４に示すように湾曲板２１と回転ドラム１のサンドペーパ４で囲まれた空間に多数個投入される。なお、サンドペーパ４と湾曲板２１との間隔は木球３の直径より若干大きくなるように予め長孔２５と止めねじ２６によって調整されている。
【００１０】
この状態で回転ドラム１を回転させると、振り子式の木球押え２は木球３とサンドペーパ４の摩擦力と自重とのバランス関係により揺動運動を繰り返す。仕切板２２は、木球３が木球押え２の外に逃げ出すのを拘束する。この間に木球３のバリ３１は、サンドペーパ４によって効率よく研磨されるのである。
【００１１】
考案者らが、試作機において実験した結果を以下に示す。
サンドペーパ４の番数は１５０番を使用した。木球３の直径３５ｍｍ、バリ３１の大きさ  ０．２ｍｍから０．５ｍｍ、木球３の数１００個を、木球押え２内に保持しドラム１の回転数を５１回／分で回転したところ、およそ１時間ですべての木球３を研磨できた。表面も滑らかな同一球径の木製の真球を得ることができた。
【００１２】
また、径の異なる木球３を研磨するときには、長孔２５の取り付け位置をずらして止めねじで２６で固定する。この場合も前述のように湾曲板２１とサンドペーパ４との間隔は、木球３の直径より若干大きくなるように調整する。なお、長孔２５のかわりに、支板２３、２４の半径方向に、段階的に取付孔を複数個形成し、同取付孔を変更することによって、サンドペーパ４と湾曲板２１の間隔を調整するようにしてもよい。
【産業上の利用可能性】
【００１３】
木独特の柔らかさ、滑らかさのある木球を製造できるので、介護施設や保育施設などのリハビリや保育に適した木球を大量にかつ安価に提供できる。
【符号の説明】
【００１４】
１、回転ドラム
２、木球押え
２１、湾曲版
２２、仕切板
２３、第１の支板
２４、第２の支板
２５、長孔
２６、止めねじ
３、木球
３１、バリ
４、サンドペーパ
５、軸
６、架台
【図１】
0003172157.tif 000003
【図２】
0003172157.tif 000004
【図３】
0003172157.tif 000005
【図４】
0003172157.tif 000006
【図５】
0003172157.tif 000007
(57)【要約】      （修正有）【課題】風鈴に吊下げた短冊が風に吹かれて左右に揺れると、風鈴が鳴ると同時に光の色が次々に変化し点灯する風鈴を提供する。【解決手段】風鈴本体と、風鈴本体に通電体を介して吊設される揺動自在な振り子と、振り子に吊り下げた短冊とからなる。風鈴本体には、接触スイッチ機構と、接触スイッチ機構に通電体が接触するとランプを点灯する電気回路とが配設される。【選択図】図１
0003172158.tif 000002
【実用新案登録請求の範囲】
【請求項１】
風鈴本体と、同風鈴本体内に揺動自在に吊り下げた振り子と、
同振り子に吊り下げた短冊とからなる風鈴において
上記振り子を通電体を介して風鈴本体に吊設すると共に、
同風鈴本体内に配設される１つ以上の接触スイッチ機構と、
同接触スイッチ機構に前記通電体が接触してランプが点灯する
電気回路とからなることを特徴とする電飾点滅風鈴。
【請求項２】
上記接触スイッチ機構に取り外し自在の絶縁体を装着したことを
特徴とする請求項１に記載の電飾点滅風鈴。
【考案の詳細な説明】
【技術分野】
【０００１】風鈴に吊り下げた短冊が風に吹かれて揺れると、風鈴が鳴ると同時に光の色が、次々に変化し点灯する電飾点滅風鈴を提供する。
【技術背景】
【０００２】従来の風鈴では、短冊が風に吹かれて揺れると、風鈴が鳴る程度の風鈴が市販されている。
【先行技術文献】
【特許文献】
【０００３】
【特許文献１】実開平１−１０８５９６号公開公報
【０００４】
【考案の概要】
【考案が解決しようとする課題】
【０００５】短冊が風に吹かれて揺れると、振り子が揺れ、風鈴本体に衝撃を与え音色を出すと同時に照明で演出も出来て、音と灯かりの共演が出来る事を目的にしている。
また、大地震などの振動で、風鈴が起動すると、音と灯かりで地震災害の予知にも役にたち被害を未然に予防すること出来る機能を有する電飾点滅風鈴を提供する。
【課題を解決するための手段】
【０００６】風鈴本体と，同風鈴本体内に揺動自在に吊り下げた振り子と、同振り子に吊り下げた短冊とからなる風鈴において、上記振り子を通電体を介して風鈴本体に吊設すると共に、同風鈴本体に配置される１つ以上の接触スイッチ機構と  同接触スイッチ機構に前記通電体が接触してランプが点灯する電気回路とからなることを特徴とする電飾点滅風鈴で，更に接触スイッチ機構に取り外し自在の絶縁体を装着したので無風，無振動の状態では風鈴は鳴らず、灯りは灯らない、電飾点滅風鈴とした。
【考案の効果】
【０００７】風鈴の振り子を通電体を介して風鈴本体に吊設し、風鈴本体１つ以上の接触スイッチ機構を配置して、接触スイッチ機構に通電体が接触してランプが点灯する電気回路からなる電飾点滅風鈴で、更に接触スイッチ機構に取り外し自在の絶縁体を装着したので無風，無振動の状態では風鈴は鳴らず、灯かりは灯らない電飾点滅風鈴とした。
短冊、振り子に風力、振動が伝わり風鈴に衝撃を加え音がする。また、振動で接触スイッチ機構に通電体が接触してランプが点灯する電気回路に電流が流れ、灯りが演出できる。また、振動で地震の予知、予防、危機管理にも  役に立ち、多岐に亘り演出効果がある。
【図面の簡単な説明】
【０００８】
【図１】本考案に係る実施例を示す接触スイッチ機構がオフの説明図である。
【図２】本考案に係る実施例を示す接触スイッチ機構がオンの説明図である。
【考案を実施するための形態】
【０００９】本実施の形態について、図１から図２を参照して以下説明する。
【実施例】
【実施例】
【００１０】図１は風も無く静止状態を示す電飾点滅風鈴の説明図で、風鈴２２に揺動自在に吊り下げた振り子２と、振り子２に吊り下げた短冊１とからなる風鈴２２であって、振り子２を通電バネ４を介して風鈴２２に吊設すると共に、本実施例では、風鈴２２内２個−電極棒５（接触スイッチ）を配設したが、必要に応じて、−電極棒５（瀬触スイッチ機構）は電飾の色が単色の電球１９の場合は１個でも良い。複数色の電飾に応じて、−電極棒５の数を、電球１９の色の数に合わせる。更に、図１に図示する如く、−電極棒５（接触スイッチ機構）に取り外し自在の絶縁体２３を装着し、無風、無振動の状態では風鈴は、灯かりは灯らない電飾点滅風鈴とすることも出来る。
図２は短冊１が揺れて振り子２に振動が伝わり、風鈴本体２２に衝撃を与え同時に通電バネ４が揺れて、−電極棒５と接触し、電球１９が点灯する電気回路電流が流れた状況を図示している。図中の符号で、３は振り子紐、６は−極線、７は＋極線、８は電極ボード、９は電極ボード、１０はボタン電池＋極、１１はボタン電池−極、１２は＋電極電導盤、１３は＋極誘導ネジ、１４はねじナット、１５はボタン電池取り出し口、１６は吊紐、１７は吊掛、１８は上部カバー、２０はスイッチｏｎ接点、２１は風鈴透かし彫り模様をしめしている。本実施例では、電球１９を点灯させる電気回路には、入れ替え自在なボタン電池を用いたが単三乾電池などを用いても良い。
またランプ（電球１９）には消費電力の少ないＬＥＤ電球を用いた。
【産業上の利用可能性】
【００１１】自然エネルギーの風力を利用し  少しのエネルギーで  照明に利用できる。風鈴を自然エネルギーの力で鳴らし構築した設備で  風鈴を鳴らし小電力で蛍のような灯の照明が出来るエコロジー製品である。音が出る風鈴と風力や振動で電灯が灯れば演出効果は
アイデアにより範囲は広く、夜間でも振動で風鈴の音が危険を知らせ、災害時でも灯が灯れば  停電時も、  暗闇に慌てず緊急の対処法に利用可能である。老人、女性、子供の部屋等に風鈴を吊るして置けば夜中でも  停電時でも役に立つそれぞれ部屋にあれば  同時に危険を感知し、経費の安い、気象予報器具として、緊急の危機管理に役に立ち被害を未然に防ぐことが出来る。
【符号の説明】
【００１２】１  短冊
２  振り子（舌）
３  振り子紐
４  通電バネ
５  −電極棒
６  −極線
７  ＋極線
８  電極ボード
９  電極ボード
１０  ボタン電池＋極
１１  ボタン電池−極
１２  ＋電極電導盤
１３  ＋極誘導ネジ
１４  ネジナツト
１５  ボタン電池取り出し口
１６  吊紐
１７  吊掛
１８  上部カバー
１９  電球
２０  スイツチｏｎ接点
２１  風鈴透かし彫り模様
２２  風鈴
２３  絶縁体
【図１】
0003172158.tif 000003
【図２】
0003172158.tif 000004
(57)【要約】      （修正有）【課題】室内においてパーティションとして利用且つ有効であるとともに、さらに環境の改善効果を有する植物棚パーティションを提供する。【解決手段】所定間隔をあけて起立させた支持柱１、１間に、上下間隔をあけて草花等Ｆが植えられたプランター２を収容する断面略Ｕ字状のプランター支持部材３が設けられ、該プランター支持部材３の下方には芳香剤等４及び芳香剤等４への送風装置５が設けられてなり、芳香剤等４が用途に合わせた環境の改善剤を含む。【選択図】図１
0003172160.tif 000002
【実用新案登録請求の範囲】
【請求項１】
所定間隔をあけて起立させた支持柱間に、上下間隔をあけて草花等が植えられたプランターを収容する断面略Ｕ字状のプランター支持部材が設けられ、該プランター支持部材の下方には芳香剤等及び該芳香剤等への送風装置が設けられてなることを特徴とする植物棚パーティション。
【請求項２】
前記芳香剤等の下方に前記送風装置が配置されてなることを特徴とする請求項１に記載の植物棚パーティション。
【請求項３】
前記芳香剤等が空気浄化剤であることを特徴とする請求項１又は２に記載の植物棚パーティション。
【請求項４】
前記芳香剤等が防虫・除虫剤であることを特徴とする請求項１又は２に記載の植物棚パーティション。
【考案の詳細な説明】
【技術分野】
【０００１】
本考案は、室内環境の改善効果を有する植物棚パーティションに関する。
【背景技術】
【０００２】
本願出願人は、すでに、所定間隔をあけて起立させた支持柱間に、上下間隔調整自在に草花等が植えられたプランターを有する断面略Ｕ字状のプランター支持部材を側壁方向に傾斜自在に設けたことを特徴とする草花等の飾り棚を提供している（特許文献１）。
【特許文献１】登録実用新案第３１３３２８４号  前記登録実用新案は、野菜等の栽培はもとより、特に、室内においてパーティションとして利用且つ有効であり、さらにプランター支持部材への草花が植えられたプランターの収容及び取り出しを草花等に傷をつけることなく容易に行えることを特徴としている。
【考案の概要】
【考案が解決しようとする課題】
【０００３】
本考案は、パーティションとして利用且つ有効であるとともに、さらに室内環境の改善効果を有する植物棚パーティションを提供することを目的とする。
【課題を解決するための手段】
【０００４】
前記課題を解決するため、本考案は、所定間隔をあけて起立させた支持柱間に、上下間隔をあけて草花等が植えられたプランターを収容する断面略Ｕ字状のプランター支持部材が設けられ、該プランター支持部材の下方には芳香剤等及び該芳香剤等への送風装置が設けられてなることを特徴とする（請求項１）。
【０００５】
前記本考案では、前記従来の草花等の飾り棚に加えて、プランター支持部材の下方に芳香剤等及び該芳香剤等への送風装置が設けられる。したがって、常時あるいは適時に送風装置を稼動させると前記芳香剤等の香りが送風に乗せられて周囲に拡散させられる。例えば、アロマセラピーのための天然の香りが室内に拡散させられて心地よいリラックス空間へと環境を改善することができる。
【０００６】
本考案の実施の一形態は、前記芳香剤等の下方に前記送風装置を配置したことを特徴とする（請求項２）。この実施の一形態によれば、芳香剤等の香りが上方、すなわち、前記プランター支持部材に収容された草花等の側面に沿って上昇させられるとともに室内へ香りの拡散が行われて環境の改善が図られる。
【０００７】
本考案の他の実施の一形態は、前記芳香剤等が空気浄化剤であることを特徴とする（請求項３）。この実施の一形態によれば、例えば、空気中の悪臭等が除去されて環境の改善が図られる。
【０００８】
本考案の他の実施の一形態は、前記芳香剤等が防虫・除虫剤であることを特徴とする。この実施の一形態によれば、植えられた草花に発生が考えられる害虫に対して防虫・殺虫効果が発揮され、同時に環境の改善が図られる。
【考案の効果】
【０００９】
本考案によれば、芳香剤等を、目的とする環境の改善に合わせて変更することにより、それぞれ目的とする環境の改善を図ることができる。
【図面の簡単な説明】
【００１０】
【図１】本考案の実施の一形態に係る植物棚パーティションの概略正面図である。
【図２】本考案の実施の一形態に係る植物棚パーティションの概略側面図である。
【考案を実施するための形態】
【００１１】
以下に、添付図面を参照して、本考案を実施するための最良の形態について説明する。
【００１２】
所定間隔をあけて起立させた支持柱１、１間に、上下間隔をあけて草花等Ｆが植えられたプランター２を収容する断面略Ｕ字状のプランター支持部材３が設けられる。
【００１３】
前記プランター支持部材３は、前記支持柱１、１間に固定することなく、該支持柱１、１間に着脱自在に設けられる。なお、前記支持柱１、１、プランター２及びプランター支持部材３はプラスチック、その他の材料からなる。
【００１４】
本考案では、前記プランター支持部材３の下方に芳香剤等４及び該芳香剤等４に向けた送風装置５が支持される。図面実施例では、前記支持柱１、１の下部の両側面に設けたサインパネル６間に支持されている。図中、７は送風ガイドである。
【００１５】
本考案の前記芳香剤等４には、アロマセラピーのための芳香剤に限ることなく、空気浄化剤、防虫・除虫剤、その他各種の環境の改善剤を含む。さらに、必要に応じてフェルト状不織布等に含浸させるなどして発散の容易化が図られる。さらにまた、前記芳香剤等４は、予め交換・補充等を考慮して前記プランター支持部材３下方に支持される。
【００１６】
前記送風装置５は、詳細を図示しないが、ファン及び該ファンを駆動するモータで構成され、該モータからは図示しない電源コードが延長され、ＯＮ・ＯＦＦスイッチ、タイマー等を介して差込みプラグが設けられ、電源コンセントに接続される。なお、前記サインパネル６の外側面には自社の広告等が表示される。
【００１７】
なお、前記芳香剤等４及び送風装置５の配置は、芳香剤等４の下方に前記送風装置５を支持することが好ましい。その結果、芳香剤等４の香りが上方、すなわち、前記プランター支持部材３に収容された草花等の側面に沿って上昇させられるとともに室内への香りの拡散が行われて環境の改善が図られる。
【００１８】
前記構成の本考案は、送風装置５を稼動させると、前記芳香剤等４の香りが送風に乗せられて周囲に拡散させられて環境の改善が図られる。さらに、前記芳香剤４等を、空気清浄化剤、防虫・除虫剤、その他環境の改善に合わせて変更することにより、それぞれの目的とする環境の改善を図ることができる。
【符号の説明】
【００１９】
１、１    支持柱
２  プランター
３  プランター支持部材
４  芳香剤等
５  送風装置
Ｆ  草花等
【図１】
0003172160.tif 000003
【図２】
0003172160.tif 000004
(57)【要約】      （修正有）【課題】従来の交通用信号機は、信号灯が横に３個、または縦に３個で１台となっているため大型化、重量化している。光源には多くの場合白熱電球を使用しているため輝度の劣化や電球の寿命に問題がある。省スペースで視認性に優れた交通用信号機を提供する。【解決手段】複数の均等に配置した発光素子から成り、青色発光素子３・黄色発光素子４・赤色発光素子５、三種類の色信号は、信号制御回路により順次単一色で点灯する１個の交通用信号機を実現する。【選択図】図２
0003172151.tif 000002
【実用新案登録請求の範囲】
【請求項１】
複数の均等に配置した発光素子から成り、青・黄・赤、三種類の色信号は信号制御回路により順次単一色で点灯する１個の交通用信号機。
【考案の詳細な説明】
【技術分野】
【０００１】
交通用信号機本体の形状に改善を加え、それに伴い発光素子の配置及び点灯の方法  を改善した交通用信号機に関する。
【背景技術】
【０００２】
従来の信号機は光源に白熱電球を使用するタイプが多い、これは光源の劣化により      輝度が落ちたりして視認性が悪化する原因となる。また信号機は青、黄、赤、別々      の信号灯から構成されているため重量的、スペース的にも問題があった。          
【先行技術文献】
【特許文献】
【０００３】
【特許文献１】特開２００８−１５７９６号公報
【考案の概要】
【考案が解決しようとする課題】
【０００４】
従来の信号機はそれぞれ色別の３個の信号灯から構成されているため大きさ、重量等に問題があり、信号機が横長の大きなスペースを必要とする問題点があった。本考案は、省スペースで       視認性の良い交通用信号機を提供するものである。
【課題を解決するための手段】
【０００５】
上記目的を達成するために本考案は、３色別々のLED信号灯を一体化して外見上１個の信号灯にすることを特徴としている。
本考案は、１個の信号灯の中に青、黄、赤三種類のLED発光素子を複数ずつ組み込み発光素子の配置は、三種類がそれぞれ均等に配置していることを特徴としている。
【０００６】
LED発光素子の配置は、図２に示すように同一色のドットは互いに接することなく正三角形の頂点を結ぶ位置関係にある。発光素子は、１個のドットの中に同色を１個又は数個の単位で組み合わせることが出来る。またこれらのドットは、数個〜複数個単位でモジュール化して組み込むことが出来る。
【０００７】
発光素子を点灯したとき単一色で均等に発光させることが出来ることを特徴としている。
【０００８】
専用の信号制御回路により切り換えることで色別に順次点灯させることが出来る。
【考案の効果】
【０００９】
本考案の形状及び方式にすることにより従来機に比べて視認性が向上し、更に本体の長寿命化が図られる。また軽量化により設置時の作業効率化、省スペースでの設置が可能となる。
【図面の簡単な説明】
【００１０】
【図１】本考案が適用される信号機の概略平面図である。
【図２】実施形態の信号灯用発光素子の配置を示す平面図である。
【図３】従来の信号機の概略平面図である。
【考案を実施するための形態】
【００１１】
以下に本考案の実施形態を、図面を参照しながら説明する。なお、ここで示す実施形態は一例であり、本考案はここに示す実施形態に限定されるものではない。本考案の実施形態は図１，図２で示している。  
【実施例１】
【００１２】
本考案の実施形態の信号機は、図１に示すように形状としては信号灯１個から成る。この１個の信号灯の中に図２で説明するように必要な３種類のLED発光素子を組み込む。その一例として図２において、青色LED３、黄色LED４、赤色LED５のように配置する、そのとき同一色のLEDは互いに接触することなく正三角形の頂点を結ぶ関係にある。他の二色もそれぞれ同様の関係にある。この配置の仕方によって同一色がそれぞれ均等に分布する。色信号の切り換えは、同一色がマトリックス状に結線された回路により、コンピューターからリレーされた信号の色表示を順次行う。
【産業上の利用可能性】
【００１３】
信号機本来の形態に対して、新しい交通用信号機として使用することが出来る。    
【符号の説明】
【００１４】
１新しい信号機
２新しい信号灯
３青色発光素子
４黄色発光素子
５赤色発光素子
６従来の信号機
【図１】
0003172151.tif 000003
【図２】
0003172151.tif 000004
【図３】
0003172151.tif 000005
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
複数の、青色・黄色・赤色の発光素子が均等に配置されている一つの信号灯と、前記信号灯の色信号の切り替え制御を行う信号制御回路とを有し、前記信号制御回路は、青・黄・赤の順に順次単一色で点灯するよう前記切り替え制御を行なうことを特徴とする交通用信号機。
(57)【要約】【課題】  災害の初期対応及びその後の避難行動を安全に行うことができ、さらに、災害用品を配置するために特別に場所を用意する必要がなく、さらにまた、プランターとしての機能を阻害することがない防災用品備蓄プランターを提供する。【解決手段】  防災用品格納部１の上部に鉢植えプランター３を収容するプランターカバー２を係合及び段積みしてなり、必要に応じて前記防災用品格納部を多段に形成する。【選択図】  図１
0003172159.tif 000002
【実用新案登録請求の範囲】
【請求項１】
防災用品格納部の上部にプランターを収容するプランターカバーを係合及び段積みしてなることを特徴とする防災用品備蓄プランター。
【請求項２】
前記防災用品格納部が多段に形成されてなることを特徴とする請求項１に記載の防災用品備蓄プランター。
【考案の詳細な説明】
【技術分野】
【０００１】
本考案は、緊急災害時に災害の拡大を防止するための防災用品備蓄プランターに関する。
【背景技術】
【０００２】
従来、震災時の家屋の崩壊にも安全なように家庭の庭先や公園等に置き、通常時はプランターとして用い、震災持には内蔵した防災用品や水で初期火災の消火用や、非常用生活用品として用いられる様にした防災用プランターが提案されている（例えば、特許文献１）。
【特許文献１】特開平１１−１１３４０５号公報
【考案の概要】
【考案が解決しようとする課題】
【０００３】
前記従来の防災用プランターも防災を目的とするものであるが、本考案は、常に身近なところに防災用品を配置しておくことにより、災害の初期対応及びその後の避難行動等を安全に行うことを目的とする。さらに、災害用品を配置するために特別に場所を用意する必要がなく、さらにまた、プランターとしての機能を保持することを目的とする。
【課題を解決するための手段】
【０００４】
前記課題を解決するため、本考案の防災用品備蓄プランターは、防災用品格納部の上部に、鉢植えプランターを収容するプランターカバーを係合及び段積みしたことを特徴とする（請求項１）。
【０００５】
本考案では、防災用品格納部と鉢植えプランターを収容するプランターカバー間が、単に段積みされることでは足りず係合を保って段積みされる。具体的には、防災用品格納部とプランターカバーの接合部の縦方向が凹凸係合されて横方向の動きが生じない状態で段積みされる。
【０００６】
前記防災用品格納部には、救急医薬品、非常食、ラジオ、ライト、電池、軍手、通信装置、非常用トイレ、その他の品物が格納される。また、プランターカバー内には鉢植えプランターが配置されて会社内あるいは住宅内の適位置に配置される。
【０００７】
なお、前記防災用品格納部及びプランターカバーの形状は円筒に限らず、四角形状、その他の多角形であってもよい。また、それらの成形材料は問わないが、いずれも美感を損なわない材料で構成される。
【０００８】
本考案の実施の一形態は、前記防災用品格納部が多段に形成されてなることを特徴とする（請求項２）。この実施の一形態によれば、防災用品格納部の容積を増加させることができるとともに、防災用品ごとに区分けしてそれぞれの防災用品格納部に格納することができる。
【考案の効果】
【０００９】
本考案によれば、常に身近なところに防災用品を配置しておくことができ、災害の初期対応及びその後の避難行動等を安全に行うことができる。さらに、災害用品を配置するために特別の場所を用意する必要がなく、さらにまた、プランターとしての機能を保持することができる。
【図面の簡単な説明】
【００１０】
【図１】本考案の実施の一形態に係る防災用品備蓄プランターの縦断面図である。
【図２】本考案の実施の一形態に係る防災用品備蓄プランターの他の実施例を示す縦断面図である。
【考案を実施するための形態】
【００１１】
以下に、添付図面を参照して、本考案を実施するための最良の形態について説明する。
【００１２】
図１中、１は陶器、プラスチック、金属等からなる防災用品格納部であり、２は同材料からなるプランターカバーであり、３は植物４が植えられた鉢植えプランターである。また、５は防災用品である。
【００１３】
本考案では、前記防災用品格納部１の上部に前記プランターカバー２が係合及び段積みされる。具体的には、前記防災用品格納部１の上縁１ａに対してプランターカバー２の周縁底部２ａが載置させられ、該周縁底部２ａを除くプランターカバー２の中央底部２ｂが前記防災用品格納部１の内部に嵌め込まれる。
【００１４】
すなわち、防災用品格納部１とプランターカバー２の接合部の縦方向が凹凸（雄雌）係合されて、横方向の動きが生じない状態で段積みされている。
【００１５】
図２の実施の一形態は、前記防災用品格納部１が二段に段積みされた状態であり、同一部分には同一符号を付している。
【００１６】
前記構成の本考案は、緊急災害時には、前記防災用品格納部１から前記プランターカバー２（鉢植えプランター３）を取り外し、前記防災用品格納部１から必要とする防災用品５を取り出して初期対応することができる。したがって、その後の避難行動等を安全に行うことができる。
【符号の説明】
【００１７】
１    防災用品格納部
２    プランターカバー
３    鉢植えプランター
４    植物
５    防災用品
【図１】
0003172159.tif 000003
【図２】
0003172159.tif 000004
(57)【要約】      （修正有）【課題】臍ヘルニアの保存的治療において、皮膚のかぶれを少なくし、長時間にわたり臍部腹壁筋層欠損部からの腸管の脱出を抑え、治癒を促進する治療器具を提供する。【解決手段】腹壁筋層欠損部を塞ぐための適度な大きさと形態を有する突起部を平板に組み合わせる。平板部を腹壁皮膚に絆創膏で固定することにより腸管の脱出を防ぐ。【選択図】図１
0003172156.tif 000002
【実用新案登録請求の範囲】
【請求項１】
臍ヘルニアの脱出部を腹壁皮膚への固定を容易にするための平板に、腹壁欠損部を塞ぐための突起部を組み合わせた臍ヘルニアの保存的治療器具。
【請求項２】
突起部及び平板の素材が非吸水性素材からなる請求項１の臍ヘルニアの保存的治療器具。
【請求項３】
突起部が球状または、滑らかな曲面状である、請求項１〜請求項２の臍ヘルニアの保存的治療器具。
【考案の詳細な説明】
【技術分野】
【０００１】
本考案は、臍ヘルニアの保存的治療のための器具に関するものである。
【背景技術】
【０００２】
臍ヘルニアは自然治癒することが多く、一般に２歳頃まで経過観察を行い、３〜４歳以降に自然治癒しない場合、手術治療の適応とされてきた。しかし、脱出が顕著な例では、皮膚の伸展により、ヘルニアは治癒しても臍の変形（出べそ）が残り、形成手術の対象となる例があること、嘔吐や腹痛をきたす例があることから、保存的治療も試みられてきた。保存的治療で従来から行われている医学的に有効な治療方法は絆創膏固定法があり、絆創膏を皮膚に強固に固着させ、皮膚ごと腹壁を寄せて腹壁欠損孔を塞ぎ、腹腔からの腸管の脱出を防ぎ、腹壁欠損部の自然閉鎖を促進しようとするものである（非特許文献１）。しかし、この方法では、絆創膏の皮膚への固着が緩むとしばしば腸管の脱出が起こり治療効果がなくなることも起きること、絆創膏を強固に固着させれば皮膚のかぶれが問題となることなど問題が多い（非特許文献２）。
【０００３】
最近では絆創膏以外で、手作りの綿球やスポンジ等の立体構造を取る異物を利用して腹壁欠損孔を閉鎖する試みが報告されている（非特許文献３）。これら異物により欠損孔を塞ぐ方法でも、異物の固定保持のため絆創膏や粘着フィルムを使用するものの、皮膚に強固に固着させる必要がないため、皮膚のかぶれの軽減が期待できる。しかし、一方で、単に立体構造物のみの固定では、体動などによりズレて固定がうまくいかなくなったり、綿球やスポンジは汗を吸い却って皮膚のかぶれを助長する問題がある。これら異物は医師の手作りで、しかも母親など家人による再固定に困難性を伴うため、入浴時には粘着フィルムで固定部を被覆すること、一旦固定が緩むと通院するように指導されている。通常入浴は数日に一度に制限され、この間臍部は湿潤した綿球やスポンジに晒されることになるからである。
【先行技術文献】
【非特許文献】
【０００４】
【非特許文献１】WoodsGE : Some observations on umbilical hernia in infants. Arch Dis Child28:450-462, 1953.
【非特許文献２】大塩猛人、羽金和彦著  本邦における乳幼児臍ヘルニアの診療方針に対するアンケート調査報告  日本小児外科学会雑誌47巻１号ページ４７−５３  ２０１１年
【非特許文献３】吉田篤史、渡辺泰宏、野田卓男、王仲秋、尾山貴徳著  臍にまつわる小児外科疾患の診断・治療：臍ヘルニアの保存的治療と問題点  小児外科３７巻１号ページ３６−３８  ２００５年
【考案の概要】
【考案が解決しようとする課題】
【０００５】
上記したように、臍ヘルニアの保存的治療法については、かぶれの問題を生じたり、長期的に安定して臍部腹壁筋層欠損部からの腸管の脱出を効率的に抑える方法は確立されていない。本考案はこの実態に鑑み、皮膚のかぶれをなるべく起こすことなく、長期にわたり臍部腹壁欠損部からの腸管の脱出を抑えることを可能とする治療具を提供することである。
【課題を解決するための手段】
【０００６】
本考案は臍ヘルニアの脱出部を腹壁皮膚への固定を容易にするための平板に、腹壁欠損部を塞ぐための突起部を組み合わせた臍ヘルニアの保存的治療器具である。また本考案は突起部および平板の素材が非吸収性素材からなるものであり、突起部が球状または、なめらかな曲面状となっている臍ヘルニアの保存的治療器具である。
【考案の効果】
【０００７】
本考案は、単なる綿球やスポンジより遥かに固定が容易な形態を有し、母親など家人により入浴などのため毎日張替可能である。このため絆創膏かぶれや臍部湿潤による感染など副作用の危険が少なく、スポンジ法や綿球法で必要な絆創膏以外の衛生材料（粘着フィルムなど）を必要とせず、長期に安定的に使用可能で、ヘルニア治癒後の臍の変形を最小限度に抑えるという利点がある。
【図面の簡単な説明】
【０００８】
【図１】図１は本考案の形を示した説明図である。
【図２】図２は本考案の実施方法を示した説明図である。
【考案を実施するための形態】
【０００９】
突起物の先端は腹腔内に入り込まないよう、尖ったものは好ましくない。立方体や円筒形のものもヘルニア治癒後の臍の形態を損なう恐れがある。このため先端部分は球形が望ましい。突起部の大きさについては完全に腹壁筋層欠損部を覆うことを要件とする。通常その基部は１０〜２０ｍｍの円筒形とするのが適切である。一方突起物の高さは極端に長いと臍部にフィットせず固定に支障をきたす。逆に短いと、筋層との間に隙間ができて、腸管が出てくる恐れがある。このため５〜１５ｍｍ程度の高さが望ましい。固定のための平板は絆創膏（テープ）の張替に耐えられるよう適度な厚み（２ｍｍあれば充分）が必要であるが、その形状は長方形や円形も考慮される。また本考案物の材質は非吸水性の素材が用いられるが、皮膚への組織反応が乏しいシリコン製品が望ましく、抗菌加工もオプションとして考慮される。なお本器具は、平板と突起部を別々に作り、接着することでも得られるが、平板・突起部を同じ材料とし、鋳型を用い一体成型により得る方法が好都合である。
【実施例】
【００１０】
図１上段は、本考案器具の俯瞰図で、下段は、腹側から見た投影図である。図２上段a)は、本考案装着前の臍部断面で、臍部は膨隆し中に腸管が存在している。中段b)は腸管を指にて腹腔内に納め、下段c)指でできた空隙に本考案器具をあてがい装着中の断面図である。上段a)のように筋層の間隙に絶えず腸管などが存在すれば、自然に筋層間隙が閉鎖することはないが、下段c)の状態になれば、自然閉鎖が期待される。
【図１】
0003172156.tif 000003
【図２】
0003172156.tif 000004
(57)【要約】【課題】  本考案はカバン等に入れやすい大きさで、広告面を広く設け、作成に掛かるコスト面に関しても有利にしながらも、うちわ、販促ツールとして十分使用する事ができる紙製うちわを提供する点にある【解決手段】  １枚の長方形状の紙製本体を、中央部分で二つに折り畳み、折り曲げ部を境に表紙と裏紙を形成し、畳むと相互が重なる１または、複数の指をかけるための貫通孔を設け、表紙と裏紙のそれぞれの裏側と表側の４面に、広告掲載部分を設けた事を特徴とする折り畳み式の紙製うちわ【選択図】図１
0003172150.tif 000002
【実用新案登録請求の範囲】
【請求項１】
１枚の長方形状の紙製本体を、中央部分である折り曲げ部４で二つに折り畳み、折り曲げ部４を境に表紙２と裏紙３を形成し、畳むと相互が重なる１または、複数の指をかけるための貫通孔５を、折り曲げ部４とは異なる側に設け、表紙２と裏紙３のそれぞれの裏側２２、３２と表側２１、３１の４面に、広告掲載部分を設けた事を特徴とする折り畳み式の紙製うちわ。
【考案の詳細な説明】
【技術分野】
【０００１】  本考案は、広告掲載枠と指穴を設けた、折り畳み紙製うちわに関するものである。
【背景技術】
【０００２】  通常の紙製うちわは、一枚の円形に作製した厚紙に指挿入孔を形成した簡易うちわが主流である。円形である為、カバンにも入りづらくすぐに処分されてしまう事が多い。また、広告面が２面分しか取れなかった。
【先行技術文献】
【特許文献】
【０００３】
【特許文献１】実開平７−３６７２５公報
【考案の概要】
【考案が解決しようとする課題】
【０００４】バックにも入りやすい形状で捨てられにくく、販促ツールとして十分に宣伝効果が得る事ができ、また、コスト面に関しても有利な紙製うちわを提供するということを目的とする
【課題を解決するための手段】
【０００５】本考案は、紙製うちわの形状を長方形のコンパクトな形状にする事でカバンにしまいやすい形状にし、且つ、二つ折りの折り畳む形状にする事で、広告の掲載できる面を従来より多くとる事ができる。紙が二重になる事でうちわとして十分使用する事ができる紙の腰の強さを備え、又、紙の厚みも従来の紙うちわより薄いもので作製する事が可能であり、コスト面に関しても従来の紙うちわの問題点を解決している。
【考案の効果】
【０００６】本考案の折り畳み紙うちわは、二つ折りの４隅が角丸の長方形の形状にすることによりカバンにも入れやすいコンパクトな大きさであり、すぐに捨てられる蓋然性が減少して宣伝効果が持続し、広告面も広く設けることが可能となっている。また、一枚の紙で作製されている為、コスト面に関しても有利である。
【図面の簡単な説明】
【０００７】
【図１】本考案の折り畳み紙うちわの構成  （ａ）本考案の折り畳み紙うちわの折り畳み後の表紙図である  （ｂ）本考案の折り畳み紙うちわを開いた図である
【図２】本考案の折り畳み紙うちわの開閉状態を示している。
【図３】折り畳んだ状態にて、うちわとして使用している状態を示す。
【考案を実施するための形態】
【０００８】１枚の角丸長方形の紙製本体を、中央部分で二つに折り畳み、折り曲げ部を境に表紙と裏紙を形成し、畳むと相互が重なる貫通した丸孔を折り曲げ部とは異なる側に設け、指を通しうちわとして使用する。表紙と裏紙のそれぞれの裏側と表側の４面に、広告等を掲載する事ができる。
【０００９】以下、添付図面に従って一実施例を説明する。
図１は、本考案の折り畳み紙うちわの構成で、（ａ）は、本考案の折り畳み紙うちわの折り畳み後の表紙図で、（ｂ）は、本考案の折り畳み紙うちわを開いた図である。
折り畳み紙うちわ１は、表紙２と、裏紙３と、折り曲げ部４と、貫通孔５からできている。
１枚の４つの隅が角丸である角丸長方形の紙製本体を２つに折り畳んで、折り曲げ部４をさかいに表紙２と裏紙３を構成している。表紙２と、裏紙３は、片方を接着剤で結合してもよい。
貫通孔５は、表紙２と、裏紙３の折り曲げ部４と異なる側の隅に、表紙２と、裏紙３を重ねたときに貫通するように開ける。
（ａ）は折り畳んだ状態のうちわの折り畳み後の表紙図で、この折り畳んだ状態でうちわとして使用する。
表紙２の表側２１に、宣伝文を記載している。
（ｂ）は開いた状態を示している。表紙の裏側２２と裏紙の裏側３２に宣伝文を記載できる。うちわを折り曲げ部４を中心部分に従って表紙の表側と、裏紙の表側をはさむように折り畳む。
表紙２と裏紙３のそれぞれの裏側２２、３２と表側２１、３１の４面に、広告掲載部分を設けることができる。
【００１０】図２は折り畳んだ状態からの本考案の折り畳み紙うちわの開閉状態を示している。貫通孔５の側を開けることができる。
【００１１】図３は折り畳んだ状態で、貫通孔５に親指を通して、うちわとして仰いでいる状態を示す。ａはその軌跡を示している。
【産業上の利用可能性】
【００１２】持ち運びが容易なうちわを提供する。
【符号の説明】
【００１３】１  折り畳み紙うちわ
２  表紙
２１  表側
２２  裏側
３  裏紙
３１  表側
３２  裏側
４  折り曲げ部
５  貫通孔
【図１】
0003172150.tif 000003
【図２】
0003172150.tif 000004
【図３】
0003172150.tif 000005
(57)【要約】      （修正有）【課題】縁起物の飾り物としての福俵の正面は許容最大限に大きくでき、福俵の胴の長さは必要最小限にして全体としてのバランスを取り福俵としての働きを最大限に発揮する事が可能となる福半俵を提供する。【解決手段】飾り物として利用されてきた福俵の胴部３の外側は、糸とか植物性資材等で作られ、中身は発泡スチロ−ルや稲殻等が入れられ作られ福俵の切断平面部４には接着剤・固定剤等で形が崩れない様に固定する。飾り物の使用場所によって福俵の正面部２の中心部から福俵の胴部３にかけて異なる長さで切断して福半俵１とする。また、その残部を適宜の角度で斜めに切断した形態で利用することもできる。【選択図】図１
0003172144.tif 000002
【実用新案登録請求の範囲】
【請求項１】
福俵本体と、この福俵本体の背面側を切断して形成された切断平面部とで成したことを特徴とする福半俵。
【考案の詳細な説明】
【技術分野】
【０００１】
本考案は、縁起物の飾り物用の福半俵に関する。
【背景技術】
【０００２】
一般的に縁起物の飾り物用としての福俵は、その重量感から見た目にも実物の俵と違和感を感じさせない事や豪華さの面からも他の飾り物と比較して目立つ場所へ配置し出来るだけ大きく、しかし、縁起物の飾り物である以上全体としてのバランスを図る事は当然である。だが、福俵だけが見る人の方へ飛び出る様になっては台無しである。これ等諸々の矛盾を如何に調和させるかが問われている。
【考案の開示】
【考案が解決しようとする課題】
【０００３】
縁起物の飾り物として重要な構成素材としての福俵は、重要なだけに他の飾り物に比べて中心的な場所で出来るだけ大きくより目立つ様にしたいが大きくすればする程飾り物全体の中で福俵だけが見る人の方へ飛び出る様になって縁起物としての働きも半減してしまう。この矛盾する課題を調整し縁起物として治めることが、強く求められている。
【課題を解決するための手段】
【０００４】
福俵本体と、この福俵本体の背面側を切断して形成された切断平面部とで成したことを特徴とする福半俵。
【考案の効果】
【０００５】
本考案は、縁起物の飾り物としての福俵の正面は許容最大限に大きくでき、福俵の胴の長さは必要最小限にして全体としてのバランスを取り福俵としての働きを最大限に発揮する事が可能となる。
【図面の簡単な説明】
【０００６】
【図１】複数俵の斜視図
【図２】福俵の背面斜視図
【実施例】
【０００７】
以下、本考案の一実施例について図面を参照して説明する。
図１は、複数俵本体 １ であり今日まで縁起物の飾り物として利用されてきた福俵で重要な構成素材としてその重要性から見た目にも実物の俵と違和感を感じさせないことや豪華さが確保されることが重要である。実物の構造は、本来の中身である穀物を植物性資材で袋状にしてその上から紐状のもので縛って俵を作っている。飾り物として複数俵本体 1 の各名称を本体前面を紐状のものを含めて 福俵の正面部 ２ 福俵の胴部 3 を紐状のものを含めて 福俵の胴部 ３ とする。
【０００８】
図１の飾り物として利用されてきた福俵の胴部 3 の外側は、糸とか植物性資材等で作られ、中身は発泡スチロ−ルや稲殻等が入れられ作られ福俵の切断平面部 4 には接着剤・固定剤等で形が崩れない様に固定する。
【０００９】
図2は、福俵の胴部 3 を必要最小限確保した福俵の正面部 2 の反対側背面の福俵の切断平面部4 を中心にした福俵の背面斜視図 5 である。
【００１０】
図１・図2の切断の仕方は、飾り物の使用場所によって福俵の正面部 2 の中心部から福俵の胴部 ３ にかけて異なる長さで切断した福俵1俵本体 5 を適宜の角度で斜めに切断した形態で利用することもできる。また、切断した形態である図 2 の福俵1俵本体 5を利用目的に沿って切断して作り上げる場合と最初から利用目的に沿って切断して作り上げた形態と同じ個体を作り上げ合理的に飾り物の使用場所を盛り上げる様にもできる。
【００１１】
図１・図2の福俵本体を利用目的に沿って切断して作り上げる場合と切断の仕方ではなく最初から利用目的に沿って同じ形状の個体を作り上げた時、前者の様に切断した時の切り口と後者の同じ形状の所もここでは福俵の切断平面部4 とする。
【００１２】
図2は、福俵の正面部 2 の中心部から福俵の胴部にかけて同じ長さで不要部分を切断した本体 5 の福俵の正面部 2 の背面側の福俵の切断平面部 4 を中心に飾り物の本体側に固定し使用される。
【符号の説明】
【００１３】
1．複数俵本体
2．福俵の正面部
3．福俵の胴部
4．福俵の切断平面部
5．福俵1俵本体の不要部分を切断した福俵の正面反対側
【図１】
0003172144.tif 000003
【図２】
0003172144.tif 000004
(57)【要約】      （修正有）【課題】野獣を最も効率良く捕獲、刺殺できる構造を有した箱型野獣捕獲・刺殺装置を提供する。【解決手段】野獣落とし穴方式によるが段差のある場所の野獣通路に該装置をセットする。穴では無く箱型とし段差上段が野獣の通路と本装置の通路で野獣を餌で本装置の通路上に誘い、野獣が装置の中央に来た時点で食する餌に装置２つ割り機構２の止め金を連結する。これにより、野獣が弱い力で餌を引くと通路が２つに割れて野獣を落下させる。２つに割れた通路が案内となって通路の下に備え付けてある野獣の胴幅に近い刺殺箱３に落とし込み、底にセットしてある鉄製の先端の鋭い矢で捕獲と同時に確実に刺殺する事が出来る。【選択図】図２
0003172142.tif 000002
【実用新案登録請求の範囲】
【請求項１】
本考案は野獣落とし穴方式によるが田畑の段差部を利用し、穴では無く箱とする事を特徴とし、段差上段は野獣の通路と本装置の２つ割機構を備えた通路と平とし、又段差下段は本装置の下部面と平で捕獲した獲物の取り出し口であり少なくとも１面が必要、本装置の通路の長さは捕獲しようとする野獣の体長の１，５−２，０倍位とし、又幅及び深さは体長の１，０−１，５倍位とする、野獣の通路に本装置をはめ込む場合３面が段差面と接するが１面のみ接する場合もある、その場合は野獣の通路に突き出した餌場となる事になる、本考案は野獣を目的の位置まで誘い込む為に通路上に餌を置き装置の出口に近い処で野獣が装置の中央に来た時点で食する餌に通路２つ割機構の止め金が連結してあり餌を弱い力で引くと止め金が外れ通路が左右に２つに割れて約６０度下方に開き野獣が落下するが約６０度に開いた通路面が其の下に設置してある野獣の胴幅に近い刺殺箱えの案内となり野獣を箱の中に落とし込む、その刺殺箱には底に先端の鋭い鉄製の矢が数本垂直に備え付けてあり野獣が落ちると必ず２ないし３本が野獣の胸、又は腹に刺さり確実に刺殺することが出来る事を特徴とする  野獣落とし穴方式による箱型野獣捕獲、刺殺装置。
【考案の詳細な説明】
【技術分野】
【０００１】    本考案は野獣を捕獲し即刺殺する為の、野獣落とし穴方式を利用した箱型野獣捕獲、刺殺装置に関するものである。
【背景技術】
【０００２】    近年野獣特に鹿、猪、による農作物の被害、鹿による鉄道線路内えの侵入、又世界遺産、国定公園等、森林の植生被害も多発し狩猟、罠などで射殺、捕獲していはるが其の個体数は減らず被害は増える一方である、狼を山に放って駆除する事も検討されているようであるが実現するかどうかは疑問であり、実現したとして１００年後に狼がどのように人の役に立つか答えられる人はいない、最も身近で実現可能な罠による効率良い捕獲、射殺以外に方法はない。
【先行技術文献】
【特許文献】
【０００３】
【特許文献１】  特明  １５，６３７
【考案の概要】
【考案が解決しようとする課題】
【０００４】    本考案は野獣が通常通っている通路を確認し其の通路に本装置を設置し野獣が最も警戒しない野獣の通路上に餌を置き其の餌で野獣を目的の位置に誘い野獣が餌を食する為に引くと２つ割り機構の通路の止め金が外れ通路が２つに割れて野獣が落下するが其の割れた通路が案内となり野獣の胴幅に近い野獣刺殺箱に落し込む、箱には底に先端の鋭い鉄製の矢を数本備え付けて有り野獣が落ちると必ず胸又は腹、に刺さり、効率良く捕獲と同時に刺殺する事を目的とする、
【考案が解決しようとする手段】
【０００５】    野獣が山から田畑に現れる出口は必ず段差があり又田畑の段差も多い、作る事も容易である為、其の段差を利用し本考案は野獣落とし穴方式であるが穴では無く箱とした事を特徴とする、箱の上面が本装置の２つ割機構の通路で段差上段と平で下面は段差下段と平で捕獲した野獣の取り出し口とする、本考案は箱の上面は段差上段と平で下面は段差下段と平で有る事と又段差面に接する面は１ないし３面とし１面の場合は通路脇に突き出た餌場となる、通路の一部とする場合は３面が接する事になり、１面は獲物取り出し口となり理想の形である、通路の長さは野獣の体長の１，５−２，０倍位が必要又、、通路幅、深さは体長の１，０−１，５倍位でよい、餌は通路上に置き装置の出口近くで野獣が装置の中央に来た時点で食する餌に通路２つ割機構の止め金を連結してある為弱い力で餌を引くと通路中央が左右に２つに割れて約６０度下方に開き野獣が落下するが其の通路が案内の役をして其の下に設置してある野獣の胴幅に近い刺殺箱に落とし込む、其の底には鉄製の先端の鋭い矢が数本取り付けてあり野獣が落ちると其の矢の２ないし３本が野獣の胸又は腹に必ず刺さり野獣を確実に捕獲、刺殺する事が出来る。
【考案の効果】
【０００６】野獣を目的の場所まで誘い入れる事も重要でその点、餌を探して歩く野獣が通路上に餌が有れば檻の中より警戒は少ない、又檻で捕獲した野獣を檻から出すには槍で刺し殺すが簡単ではない、その点も容易であり装置も機械加工部も少なく長年使用出来又安価に製作出来る点其の効果は大きい。
【図面の簡単な説明】
【０００７】
【図１】本考案の野獣捕獲、刺殺装置を野獣の通路にはめ込んだ側面図である。
【図２】本装置のＡ−Ａ断面図で通路が２つに割れて通路が刺殺箱えの案内となった状態。
【図３】刺殺箱  Ｂ−Ｂ断面図
【考案を実施するための形態】
【０００８】    先ず野獣が通常通っている通路を足跡などで確認しその通路にはめ込むのが理想的であるが出来ない場合は通路脇に飛び出した餌場とする事も出来る又、野獣も通路に異常を感じると其の通路を敬遠する事もあるがそれをさせない工夫が必要。
【実施例】
【０００９】    添付図１の様に野獣の通路に本装置をはめ込んだ状態であるが３面が段差面と接し下段手前が獲物の取り出し口で獲物はレールで引き出す事が出来る理想の形である、図２は２つに割れた通路が野獣を刺殺箱え落とし込む為の通路の状態で有る、図３は刺殺箱の矢で野獣の体高に近い高さとする。
【符号の説明】
【００１０】１        野獣捕獲、刺殺装置本体
２        ２つ割機構の通路が開いた状態
３        刺殺箱
４        通路回転軸
５        鉄製矢
【図１】
0003172142.tif 000003
【図２】
0003172142.tif 000004
【図３】
0003172142.tif 000005
【手続補正書】
【提出日】平成23年9月15日(2011.9.15)
【手続補正２】
【補正対象書類名】実用新案登録請求の範囲
【補正対象項目名】全文
【補正方法】変更
【補正の内容】
【実用新案登録請求の範囲】
【請求項１】
１辺が捕獲しようとする野獣の体長の１．５〜２．０倍位と他の１辺が胴巾の２．０〜３．０倍位の平板又は鋼板で野獣の体重を支える事が出来る強度の板２枚の長辺を突き合わせ其の両側を軸にそれぞれ下方に約６０度回転出来る機構としてキユーブ状に組み立てた骨組みの上面にセットし通常は回転防止装置で固定して野獣の通路とし、其の下には上部は野獣の胴巾に近いが下部はより狭くした刺殺箱を置き箱の深さは体高の１．５倍位で底には先端の鋭い鉄製の矢をセットし野獣が通路上の回転防止装置に連結してある餌を弱い力引いた瞬間通路が左右に割れて約６０度に傾斜した通路が野獣の胴巾に近い刺殺箱に落とし込み確実に捕獲し刺殺する事が出来る事を特徴とする箱形野獣捕獲刺殺装置。